(57)【要約】【課題】より長期に亘って薬剤の効能を持たせることのできる、揮発性薬剤含有フィルムを提供する。【解決手段】  揮発性薬剤含有フィルムは、揮発性薬剤および接着剤を含む組成物を用いて形成されてなる接着剤層と、前記接着剤を挟むように最外層に配置される一対の揮発性薬剤不透過性層と、前記接着剤層および前記揮発性薬剤不透過性層の間に配置される樹脂層と、を有する。【選択図】図１
2020151861.tif 000002
【特許請求の範囲】
【請求項１】
揮発性薬剤および接着剤を含む組成物を用いて形成されてなる接着剤層と、
前記接着剤を挟むように最外層に配置される一対の揮発性薬剤不透過性層と、
前記接着剤層および前記揮発性薬剤不透過性層の間に配置される薬剤透過性層と、を有する、揮発性薬剤含有フィルム。
【請求項２】
前記薬剤透過性層は、空隙を備える樹脂層である、請求項１に記載の揮発性薬剤含有フィルム。
【請求項３】
前記樹脂層の前記空隙は、独立気泡構造体として形成される、請求項２に記載の揮発性薬剤含有フィルム。
【請求項４】
前記樹脂層の前記空隙は、連続気泡構造体として形成される、請求項２に記載の揮発性薬剤含有フィルム。
【請求項５】
前記薬剤透過性層の厚みは、５０μｍ〜５ｍｍである、請求項１〜４のいずれか１項に記載の揮発性薬剤含有フィルム。
【請求項６】
前記接着剤層は、前記一対の揮発性薬剤不透過性層に隣接するように、一対設けられ、
前記薬剤透過性層は、一対の前記接着剤層の間に設けられる、請求項１〜５のいずれか１項に記載の揮発性薬剤含有フィルム。
【発明の詳細な説明】
【技術分野】
【０００１】
本発明は、揮発性薬剤含有フィルムに関する。
【背景技術】
【０００２】
抗菌剤、防虫剤、香料などの常温で揮発する薬剤をフィルムに含有させ、薬剤を徐放させることで薬剤の効能を発揮させる揮発性薬剤含有フィルムが知られている。
【０００３】
揮発性薬剤の徐放性を制御する技術として、下記の特許文献１には、基材上に感圧性接着剤層を形成した後に、感圧性接着剤層に揮発性薬剤を含侵させる手段が開示されている。
【先行技術文献】
【特許文献】
【０００４】
【特許文献１】特開平６−２１２１３６号公報
【発明の概要】
【発明が解決しようとする課題】
【０００５】
しかしながら、特許文献１に開示された構成では、より長期に亘って薬剤の効能を持たせるほどには、徐放性が制御できていない。
【０００６】
本発明は、上記事情に鑑みてなされたものであり、より長期に亘って薬剤の効能を持たせることのできる、揮発性薬剤含有フィルムを提供することを目的とする。
【課題を解決するための手段】
【０００７】
上記目的を達成する本発明に係る揮発性薬剤含有フィルムは、揮発性薬剤および接着剤を含む組成物を用いて形成されてなる接着剤層と、前記接着剤を挟むように最外層に配置される一対の揮発性薬剤不透過性層と、前記接着剤層および前記揮発性薬剤不透過性層の間に配置される薬剤透過性層と、を有する。
【発明の効果】
【０００８】
上述した揮発性薬剤含有フィルムによれば、最外層に揮発性薬剤不透過性層が設けられるとともに、接着剤層および揮発性薬剤不透過性層の間に薬剤透過性層が設けられるため、揮発性薬剤は薬剤透過性層を介して外部に放出される。したがって、より長期に亘って薬剤の効能を持たせることができる。
【図面の簡単な説明】
【０００９】
【図１】本発明の実施形態に係る揮発性薬剤含有フィルムを示す断面図である。
【発明を実施するための形態】
【００１０】
以下、添付した図面を参照して、本発明の実施形態を説明する。なお、図面の説明において、同一の要素には同一の符号を付し、重複する説明を省略する。また、図面の寸法比率は、説明の都合上誇張されており、実際の比率とは異なる場合がある。
【００１１】
本明細書において、範囲を示す「Ｘ〜Ｙ」は「Ｘ以上Ｙ以下」を意味する。また、特記しない限り、操作および物性の測定等は、室温（２０〜２５℃）／相対湿度４５〜５５％の条件で行う。また、揮発性薬剤を単に薬剤とも称する。
【００１２】
以下、図１を参照して、本実施形態に係る揮発性薬剤含有フィルム１を説明する。図１は、本発明の実施形態に係る揮発性薬剤含有フィルム１を示す断面図である。
【００１３】
本実施形態に係る揮発性薬剤含有フィルム１は、図１に示すように、下側から順に、第１揮発性薬剤不透過性層（揮発性薬剤不透過性層に相当）１０と、第１接着剤層（接着剤層に相当）２０と、樹脂層（薬剤透過性層）３０と、第２接着剤層（接着剤層に相当）４０と、第２揮発性薬剤不透過性層５０と、を有する。
【００１４】
＜第１揮発性薬剤不透過性層１０＞
第１揮発性薬剤不透過性層１０としては、ポリエチレンテレフタレート、ポリエチレンナフタレート等のポリエステル、ポリアクリロニトリル、エチレン−ビニルアルコール共重合体、ポリアミド、ポリカーボネート、ポリ塩化ビニリデンなどの樹脂フィルム；樹脂フィルムに金属（例えば、アルミニウムなど）、金属酸化物（例えば、酸化アルミニウム、酸化ケイ素、酸化マグネシウムなど）などの蒸着層を設けたもの、金属箔などが挙げられる。加工性や軽量性の観点からは基材は樹脂フィルムであることが好ましく、中でも、寸法安定性の観点から、基材は、ポリエチレンテレフタレートであることが好ましい。揮発性薬剤不透過性層は、延伸フィルムであってもよいし、無延伸フィルムであってもよく、工程材料を用いてキャスティング法等で形成したものであってもよい。
【００１５】
第１揮発性薬剤不透過性層１０の厚さとしては、薬剤の不透過性などを考慮して、５〜２００μｍであることが好ましい。
【００１６】
ここで、第１揮発性薬剤不透過性層１０の薬剤の１日あたりの透過量は３０℃で、全体の透過量の０．１％以下であることが好ましい。本明細書において、「薬剤の１日あたりの透過量」とは、薬剤がほぼ放出した時点における透過量を、開始から薬剤がほぼ放出するまでの日数で割った値を、さらに第１揮発性薬剤不透過性層１０の表面積で割った値を示す。
【００１７】
＜第１接着剤層２０＞
第１接着剤層（以下、接着剤層とも称する）２０は、揮発性薬剤および接着剤を含む組成物を用いて作製される。揮発性薬剤および接着剤を含む組成物を以下、接着剤組成物とも称する。
【００１８】
揮発性薬剤としては、例えば、ラベンダー油、ハッカ油、レモン油、ローズ油、ショウノウ油、ビャクダン油、ヒノキ油、シトロネラ油、シナモン油、ティートリー油、ヒバ油、シナモン油、ユーカリ油、ユーカリシトリオドラ、コリアンダー油、タイム油などの植物精油からなる植物性香料などの天然香料、テルペン化合物、エステル化合物、芳香族化合物などからなる合成香料、あるいはそれらをブレンドした調合香料などの香料、イソチオシアン酸メチル、イソチオシアン酸エチル、イソチオシアン酸アリル、イソチオシアン酸イソブチル、イソチオシアン酸ｎ−ブチル、イソチオシアン酸フェニル、イソチオシアン酸ベンジルなどのイソチオシアン酸エステル類などが挙げられる。
【００１９】
「揮発性」とは、２５℃において薬剤として有効な程度の揮発性を示すことを意味する。
【００２０】
揮発性薬剤量はフィルム中、効能を発揮させる観点から、０．０１ｇ／ｍ２以上が好ましく、０．１〜２０．０ｇ／ｍ２であることがより好ましい。かような濃度とすることで、薬剤の効果が適切に発揮される。
【００２１】
接着剤となり得る樹脂としては、揮発性薬剤と混合物が形成できるように、好適には、所望する揮発性薬剤との関係で、該揮発性薬剤に相溶するように適宜選択して使用すればよい。すなわち、本発明の好適な形態は、接着剤が揮発性薬剤に相溶する形態である。ここで、相溶とは両者を混合した際に均一な状態になることを指す。溶液重合によって得られる樹脂など、水や有機溶媒を含む接着剤は、樹脂と薬剤とを混合した後に溶媒を乾燥させる工程が必要となり、揮発性薬剤が揮発してしまうので不適切である。したがって、本実施形態においては、無溶剤型の接着剤を用いることが好ましい。なお、樹脂は、揮発性薬剤と相溶するものが好ましいが、揮発性薬剤を油剤等に溶解した混合物と相溶する樹脂であってもよい。
【００２２】
接着剤としては、スチレン−イソプレン−スチレンブロック共重合体（ＳＩＳ）、スチレン−ブタジエン−スチレンブロック共重合体（ＳＢＳ）、スチレン・エチレン−ブチレン共重合体・スチレン（ＳＥＢＳ）、スチレン・エチレン−プロピレン共重合体・スチレン（ＳＥＰＳ）、スチレン・ブタジエン（ＳＢ）、スチレン・イソプレン（ＳＩ）、スチレン・エチレン−ブチレン共重合体（ＳＥＢ）、スチレン・エチレン−プロピレン共重合体（ＳＥＰ）、スチレン・ブタジエンラバー（ＳＢＲ）、エチレン−酢酸ビニル共重合体（ＥＶＡ）、エチレン−エチルアクレート共重合体（ＥＥＡ）、及びこれらの混合物（例えば、ポリプロピレンとＥＰＤＭの混合物など）などの熱可塑性エラストマー系接着剤；イソプレンゴム、ポリブテンゴム、ブチルゴム、アクリルゴムなどの合成ゴム、天然ゴムなどのゴム系接着剤；一成分湿気硬化形ウレタン樹脂系接着剤、二成分反応形ウレタン樹脂系接着剤などのウレタン系樹脂接着剤などが挙げられる。
【００２３】
また、接着剤となり得る樹脂は、揮発性薬剤と相溶する樹脂であれば、ここに例示した以外の樹脂を用いることもできる。
【００２４】
なお、接着剤には感圧性接着剤も含まれる。感圧性接着剤としては、特に限定されず、アクリル系感圧性接着剤、ゴム系感圧性接着剤、シリコーン系感圧性接着剤、ウレタン系感圧性接着剤、ポリエステル系感圧性接着剤、ビニルアルキルエーテル系感圧性接着剤、ポリアミド系感圧性接着剤、フッ素系感圧性接着剤などを用いることができる。上記感圧性接着剤は１種単独で用いても２種以上併用してもよい。
【００２５】
感圧性接着剤としては、接着の信頼性の観点から、特にアクリル系感圧性接着剤を好適に用いることができる。アクリル系感圧性接着剤を構成するアクリル系ポリマーは、（メタ）アクリル酸アルキルエステルを単量体主成分とし、必要に応じて（メタ）アクリル酸アルキルエステルに共重合可能な単量体（共重合性単量体）を用いることにより形成される。ここで、主成分とは、単量体中５０質量％以上（上限１００質量％）であることを指し、好ましくは６５質量％以上、より好ましくは８５質量％以上である。
【００２６】
共重合性単量体を用いる場合、アクリル系ポリマーを構成する単量体成分のうち、０．１〜３５質量％であることが好ましく、１〜１５質量％であることがより好ましい。
【００２７】
アクリル系ポリマーの重量平均分子量は特に限定されるものではないが、１０万〜１００万であることが好ましい。なお、重量平均分子量は、ゲルパーミエーションクロマトグラフィー（ＧＰＣ）法により測定したポリスチレン換算の値である。
【００２８】
感圧性接着剤は、アクリル系ポリマーの他、架橋剤を含んでいてもよい。架橋剤としては、イソシアネート系架橋剤、エポキシ系架橋剤、金属キレート系架橋剤などが挙げられる。架橋剤の添加量は、アクリル系ポリマー１００質量部に対して、０．００１〜１０質量部であることが好ましく、０．００５〜０．５質量部であることがより好ましい。
【００２９】
接着剤は１種単独で用いてもよいし、２種以上併用してもよい。
【００３０】
接着剤組成物は粘着付与剤をさらに含んでもよい。粘着付与剤としては、ロジン、重合ロジン、不均化ロジン、水添ロジン、マレイン化ロジン、フマル化ロジン、およびこれらのグリセリンエステル、ペンタエリスリトールエステル、メチルエステル、トリエチレングリコールエステル、フェノール変性物、及びフェノール変性物のエステル化物、等のロジン類；テルペン重合体、テルペンフェノール、β−ピネン重合体、芳香族変性テルペン重合体、α−ピネン重合体およびテルペン系水素添加樹脂等のテルペン系樹脂；炭素数５の石油留分又は炭素数９の石油留分を重合した石油系樹脂、およびこれの水素添加樹脂などが挙げられる。
【００３１】
粘着付与剤を含む場合、接着剤組成物における含有量は、接着性を考慮して適宜設定されるが、接着剤１００質量部に対して１〜５００質量部であることが好ましく、１０〜３００質量部であることがより好ましい。
【００３２】
また、接着剤層には、酸化チタン、酸化亜鉛、炭酸カルシウム、リン酸カルシウムなどの充填剤などを配合することもできる。これらは接着剤となり得る樹脂を揮発性薬剤に相溶させる前にあらかじめ配合しておいてもよいし、接着剤となり得る樹脂を揮発性薬剤に相溶させる際に配合してもよい。
【００３３】
接着剤層の厚さは、特に限定されないが、例えば、０．０５〜５０μｍである。
【００３４】
揮発性薬剤の混合比率は、薬剤の放出性、および接着性を考慮して、接着剤層中、５〜９０質量％であることが好ましく、より好ましくは２０〜８５質量％である。なお、薬剤は揮発性であるため、時間の経過とともに薬剤の含有量は低下する。
【００３５】
また、接着剤層の形成方法としては、例えば特開２０００−３４３６４０号公報に記載の方法または特開平６−２１２１３６号公報に記載の方法を用いることができる。
【００３６】
＜樹脂層３０＞
樹脂層３０は、揮発性薬剤の放出量を制御する。樹脂層３０を構成する材料は、ウレタン、アクリル、ＰＥ、ＰＰ、スチレンである。樹脂層３０としては、例えば、ボラーラ（積水化学工業株式会社製）を用いることができる。
【００３７】
樹脂層３０は、（微細）空隙を有する。本実施形態において、樹脂層３０の空隙は、独立気泡構造体として存在する。ここで、「独立気泡構造体」とは、発泡して形成された気泡がそれぞれ独立して並んでおり、気体や液体の通過が困難な構成である。樹脂層３０自体は薬剤透過性であって、樹脂層３０の空隙を独立気泡構造体とすることで、より透過性を向上させることができる。換言すれば、樹脂層３０の空隙率を制御することによって、徐放性を制御することができる。
【００３８】
樹脂層３０の空隙率は、徐放性の観点から、５０〜９８％であることが好ましい。本明細書において空隙率とは、総体積に対する空間の体積の割合をいう。
【００３９】
樹脂層３０の厚みについては、特に制限はないが、徐放性の観点から５０μｍ〜５ｍｍであることが好ましく、３００μｍ〜３ｍｍであることがより好ましい。
【００４０】
ここで、樹脂層３０における薬剤の１日あたりの透過量は、第１揮発性薬剤不透過性層１０の薬剤の１日あたりの透過量よりも多い。
【００４１】
＜第２接着剤層４０＞
第２接着剤層４０としては、上述した第１接着剤層２０と同一の材料、厚みのものを用いることができる。
【００４２】
＜第２揮発性薬剤不透過性層５０＞
第２揮発性薬剤不透過性層５０としては、上述した第１揮発性薬剤不透過性層１０と同一の材料、厚みのものを用いることができる。
【００４３】
＜揮発性薬剤含有フィルム１の製造方法＞
次に、本実施形態に係る揮発性薬剤含有フィルム１の製造方法について説明する。
【００４４】
以下、第１接着剤層２０、第２接着剤層４０の組成物が、接着剤の場合と感圧性接着剤の場合について、それぞれ場合分けして製造方法について説明する。
【００４５】
まず、第１接着剤層２０、第２接着剤層４０の組成物が、接着剤である場合の製造方法について説明する。
【００４６】
まず、第１揮発性薬剤不透過性層１０に対して、第１接着剤層２０を塗布する。そして、第１接着剤層２０の第１揮発性薬剤不透過性層１０が設けられる側と反対側の面に、樹脂層３０を貼り合わせる。そして、第２揮発性薬剤不透過性層５０に対して、第２接着剤層４０を塗布する。そして、樹脂層３０の第１接着剤層２０が設けられる側と反対側の面に、第２接着剤層４０を貼り合わせる。
【００４７】
次に、第１接着剤層２０、第２接着剤層４０の組成物が、感圧性接着剤である場合の製造方法について説明する。
【００４８】
まず、第１揮発性薬剤不透過性層１０に対して、第１接着剤層２０の感圧性接着剤を塗布する。そして、感圧性接着剤が塗布された第１揮発性薬剤不透過性層１０に対して、揮発性薬剤を塗布する。そして、第１接着剤層２０の第１揮発性薬剤不透過性層１０が設けられる側と反対側の面に、樹脂層３０を貼り合わせる。そして、第２揮発性薬剤不透過性層５０に対して、第２接着剤層４０の感圧性接着剤を塗布する。そして、感圧性接着剤が塗布された第２揮発性薬剤不透過性層５０に対して揮発性薬剤を塗布する。そして、樹脂層３０の第１接着剤層２０が設けられる側と反対側の面に、第２接着剤層４０を貼り合わせる。
【００４９】
以上説明したように、本実施形態に係る揮発性薬剤含有フィルム１は、揮発性薬剤および接着剤を含む組成物を用いて形成されてなる接着剤層２０、４０と、接着剤２０、４０を挟むように最外層に配置される一対の揮発性薬剤不透過性層１０、５０と、接着剤層２０、４０および揮発性薬剤不透過性層１０、５０の間に配置される樹脂層３０と、を有する。以上のように構成された揮発性薬剤含有フィルム１によれば、揮発性薬剤は樹脂層３０の側面から放出される。したがって、面全体から揮発性薬剤を放出する構成と比較して、放出量を少なくすることができる。したがって、より長期に亘って薬剤の効能を持たせることができる。
【００５０】
また、樹脂層３０は空隙を備える。このように構成された揮発性薬剤含有フィルム１によれば、樹脂層３０の空隙率を制御することによって、徐放性を制御することができる。
【００５１】
以上、実施形態を通じて本発明に係る揮発性薬剤含有フィルム１を説明したが、本発明は実施形態において説明した構成のみに限定されることはなく、特許請求の範囲の記載に基づいて適宜変更することが可能である。
【００５２】
例えば、上述した実施形態では、樹脂層３０の空隙は、独立気泡構造体として形成された。しかしながら、樹脂層の空隙は、連続気泡構造体として形成されてもよい。本明細書において、「連続気泡構造体」とは、気泡同士がつながっており、気体や液体が容易に通り抜けできる構成を示す。連続気泡構造体は、例えば、独立気泡構造体に対して外力によって気泡膜または気泡間の壁部が破壊されることによって形成される。このように、樹脂層の空隙を連続気泡構造体とすることによって、独立気泡構造体と比較して、より透過性を向上させることができる。
【００５３】
また、上述した実施形態では、一対の接着剤層２０、４０の間に樹脂層３０が設けられたが、接着剤層２０または接着剤層４０が設けられない構成であってもよい。
【００５４】
また、上述した実施形態では、樹脂層は空隙を有したが、空隙を有していなくてもよい。
【００５５】
また、上述した実施形態では、薬剤透過性層として樹脂層が用いられた。しかしながら、これに限定されず、薬剤透過性層は、紙、不織布、布、合成紙、そしてそれらの複合体などであってもよい。
【符号の説明】
【００５６】
１    揮発性薬剤含有フィルム、
１０    第１揮発性薬剤不透過性層（揮発性薬剤不透過性層）、
２０    第１接着剤層（接着剤層）、
３０    樹脂層（薬剤透過性層）、
４０    第２接着剤層（接着剤層）、
５０    第２揮発性薬剤不透過性層（揮発性薬剤不透過性層）。
【図１】
2020151861.tif 000003